(57)【要約】      （修正有）【課題】鍋蓋を厨房台や食卓上に縦置きすることができ、また使わないときには折り畳んでコンパクトに収納することができる鍋類の蓋用折り畳み式スタンドを提供する。【解決手段】外周付近に水滴受け用の凹部１３を設けたテーブル板１２と、テーブル板の上面に起伏自在に取り付けるとともに、上端に鍋類の蓋のつまみを受ける係止部１５を設けた支持ポスト１４とを備える。支持ポストは下部にその長さ方向に沿ってガイド孔１６を設け、テーブル板の上面に設けた軸受１７に差し渡した軸棒１８をガイド孔に挿入してスライド可能に保持する。テーブル板に支持ポストの下端をはめ込む取付孔１９を設け、鍋類の蓋を取り付ける際には支持ポストを立ち上げ、不要の際には支持ポストを倒伏させて折り畳む。【選択図】図１１
0003173513.tif 000002
【実用新案登録請求の範囲】
【請求項１】
外周付近に水滴受け用の凹部を設けたテーブル板と、
該テーブル板の上面に起伏自在に取り付けるとともに、上端に鍋類の蓋のつまみを受ける係止部を設けた支持ポストとを備え、
該支持ポストは下部にその長さ方向に沿ってガイド孔を設け、前記テーブル板の上面に設けた軸受に差し渡した軸棒を前記ガイド孔に挿入してスライド可能に保持するとともに、前記テーブル板の適所に前記支持ポストの下端をはめ込む取付孔を設け、
前記鍋類の蓋を取り付ける際には前記支持ポストを、ガイド孔を軸棒に沿ってスライドさせつつ垂直に持ち上げてその下端を取付孔にはめ込むことにより立ち上げ、
不要の際には前記支持ポストの下端を取付孔から抜いて、ガイド孔を軸棒に沿ってスライドさせつつ倒伏させて折り畳めるようにしたことを特徴とする鍋類の蓋用折り畳み式スタンド。
【請求項２】
前記テーブル板に設けた取付孔が、該テーブル板のほぼ中央に位置するようにしたことを特徴とする請求項１に記載の鍋類の蓋用折り畳み式スタンド。
【請求項３】
前記支持ポストが、上端の係止部に向けて後退するよう傾斜面を形成されていることを特徴とする請求項１または２に記載の鍋類の蓋用折り畳み式スタンド。
【考案の詳細な説明】
【技術分野】
【０００１】
この考案は、厨房台や食卓の上に鍋蓋等を簡単に立てておけるようにした鍋類の蓋用折り畳み式スタンドに関する。
【背景技術】
【０００２】
厨房台や食卓の上に鍋蓋類を置く場合には、単に裏返しておいた場合は雑然としてしまったり、また鍋蓋が熱かったり、水滴が付着しているので厨房台や食卓の上に鍋蓋を置くためのスタンドが利用されている。
そのような例としては、支持部を立ち上げたスタンドが提案されている。
実開昭５２−１６８０５６号公報（特許文献１参照）
実開昭６１−１３２９４６号公報（特許文献２参照）
実用新案登録第３１５２６６８号公報（特許文献３参照）
実用新案登録第３１６９８７８号公報（特許文献４参照）
【０００３】
また、蝶番による折り畳み式スタンドも下記の通りに提案されている。
実開昭６０−９１１３０号公報（特許文献５参照）
実用新案登録第３０３１４６２号公報（特許文献６参照）
特開２０００−６０７４９号公報（特許文献７参照）
特開２００７−１９０３４１号公報（特許文献８参照）
【先行技術文献】
【特許文献】
【０００４】
【特許文献１】実開昭５２−１６８０５６号公報
【特許文献２】実開昭６１−１３２９４６号公報
【特許文献３】実用新案登録第３１５２６６８号公報
【特許文献４】実用新案登録第３１６９８７８号公報
【特許文献５】実開昭６０−９１１３０号公報
【特許文献６】実用新案登録第３０３１４６２号公報
【特許文献７】特開２０００−６０７４９号公報
【特許文献８】特開２００７−１９０３４１号公報
【考案の概要】
【考案が解決しようとする課題】
【０００５】
鍋蓋を厨房台や食卓に置く場合、前記のように食卓上が雑然としたものとなり、また、鍋蓋から滴等が落下して厨房台や食卓上を汚すこともある。
この考案は、このような扱いに困る鍋蓋を、厨房台や食卓上に縦置きすることができ、また使わないときには折り畳んでコンパクトに収納することができるものとすることができる鍋類の蓋用折り畳み式スタンドを提供することを目的とする。
【課題を解決するための手段】
【０００６】
上記の課題を解決するためにこの考案の鍋類の蓋用折り畳み式スタンドにおいては、外周付近に水滴受け用の凹部を設けたテーブル板と、
該テーブル板の上面に起伏自在に取り付けるとともに、上端に鍋類の蓋のつまみを受ける係止部を設けた支持ポストとを備え、
該支持ポストは下部にその長さ方向に沿ってガイド孔を設け、前記テーブル板の上面に設けた軸受に差し渡した軸棒を前記ガイド孔に挿入してスライド可能に保持するとともに、前記テーブル板の適所に前記支持ポストの下端をはめ込む取付孔を設け、
前記鍋類の蓋を取り付ける際には前記支持ポストを、ガイド孔を軸棒に沿ってスライドさせつつ垂直に持ち上げてその下端を取付孔にはめ込むことにより立ち上げ、
不要の際には前記支持ポストの下端を取付孔から抜いて、ガイド孔を軸棒に沿ってスライドさせつつ倒伏させて折り畳めるようにしたことを特徴とするものである。
【０００７】
この考案の鍋類の蓋用折り畳み式スタンドにおいては、前記テーブル板に設けた取付孔が、該テーブル板のほぼ中央に位置するようにしたことをも特徴とするものである。
【０００８】
この考案の鍋類の蓋用折り畳み式スタンドにおいては、前記支持ポストが、上端の係止部に向けて後退するよう傾斜面を形成されていることをも特徴とするものである。
【考案の効果】
【０００９】
以上のようにこの考案の鍋類の蓋用折り畳み式スタンドによれば、鍋類の蓋の係止部を鍋類の蓋用折り畳み式スタンドに設けてあるので、厨房台や食卓上において鍋類の蓋の置き場に困ることがなくなる。また、厨房台や食卓等の上がきちんと整理されるので、見栄えが大幅に向上する。
【００１０】
また、この考案の鍋類の蓋用折り畳み式スタンドにおいて、支持ポストが折り畳み可能な構成となっており、不要時は折り畳んで収納することができて場所をとらないし、使用時には簡単に引き起こして鍋類の蓋を掛けることができ、至極便利なものとなる。
【００１１】
前記テーブル板の外周付近に水滴受け用の凹部を設けたので、鍋類の蓋に付着していた水滴は自動的に該凹部の中に入るようになっており、汁等の滴が厨房台や食卓上にこぼれてしまうようなことがない。
【００１２】
前記鍋類の蓋を取り付ける必要がなくなった際には、前記支持ポストの下端を取付孔から抜いて、ガイド孔を軸棒に沿ってスライドさせつつ前記支持ポストを倒伏させて折り畳めるようにしたばかりか、前記支持ポストの下端を取付孔の位置から後退させて前記支持ポストの上端の突出し幅を小さくできるようにしたので、よりコンパクトな折り畳み状態とすることが可能である。
【図面の簡単な説明】
【００１３】
【図１】この考案の鍋類の蓋用折り畳み式スタンドの一実施例の組立状態を示す斜視図である。
【図２】（ａ）は組立状態の平面図、（ｂ）はその側面図、（ｃ）はその正面図である。
【図３】組立状態の斜視図である。
【図４】その中央横断面図である。
【図５】支持ポストの引き出し方向を示す斜視図である。
【図６】支持ポストを引き出した状態を示す斜視図である。
【図７】その中央横断面図である。
【図８】支持ポストを立ち上げた状態を示す斜視図である。
【図９】その中央横断面図である。
【図１０】支持ポストを押し込んでいる状態を示す中央横断面図である。
【図１１】支持ポストの下端を取付孔にはめ込んだ完成状態を示す斜視図である。
【図１２】その中央横断面図である。
【図１３】鍋類の蓋を取付けた状態の中央横断面図である。
【図１４】鍋類の蓋を取付けた状態の斜視図である。
【考案を実施するための形態】
【００１４】
以下、この考案の鍋類の蓋用折り畳み式スタンドの実施の形態を図面に基いて詳細に説明する。
図１〜図４において、鍋類の蓋用折り畳み式スタンド１１は、外周付近に水滴受け用の凹部１３を設けたほぼ円形のテーブル板１２と、該テーブル板１２の上面に起伏自在に取り付けるとともに、上端に鍋類の蓋３１のつまみ３２を受けるＵ字状の係止部１５を設けた支持ポスト１４とを備えている。
【００１５】
前記支持ポスト１４は、下部にその長さ方向に沿ってガイド孔１６が設けてある。そして、前記テーブル板１２の上面に設けた軸受１７に差し渡した、例えば金属製の軸棒１８を前記ガイド孔１６に挿入してスライド可能に保持している。また、前記テーブル板１２の上面に前記支持ポスト１４の下端に突設した差込み片２０をはめ込む取付孔１９が設けてある。もちろん、前記支持ポスト１４を柱状にして差し込むようにしてもよい。
図において２２は差込み片２０の下端中央に設けた弾性片で、その前面の適所には突起２３が形成されている。
【００１６】
したがって、前記鍋類の蓋３１を取り付ける際には、図５の位置から前記支持ポスト１４をガイド孔１６を軸棒１８に沿ってスライドさせつつ、矢印Ａ方向に向けて図６および図７の位置まで引き出す。
ついで、前記支持ポスト１４を図６の矢印Ｂの方向に向けて、図８および図９のように前記支持ポスト１４を所定位置まで持ち上げた上、図１０のように前記支持ポスト１４の下端の差込み片２０を取付孔１９に押し込んでいく。その際、前記差込み片２０に設けた弾性片２２は、前面の突起２３が取付孔１９の端面で押されて後退する。
最終的には、図１１および図１２のように前記支持ポスト１４は、下端の差込み片２０を取付孔１９にはめ込むことにより立ち上げられる。その際、前記差込み片２０に設けた弾性片２２はそれ弾性で元の位置に復帰するので、前面の突起２３が取付孔１９の端面に係合して前記支持ポスト１４の取付孔１９からの脱落が防止できる。
【００１７】
鍋類の蓋３１を収納する場合は、図１３および図１４のように、前記支持ポスト１４のＵ字状の係止部１５に鍋類の蓋３１のつまみ３２を係止するとともに、蓋３１の下端を前記テーブル板１２の水滴受け用の凹部１３上にくるようにすればよい。
鍋類の蓋３１を保持する必要がなくなった際には、上記手順とは逆に、前記支持ポスト１４の下端の差込み片２０を取付孔１９から抜いて、ガイド孔１６を軸棒１８に沿ってスライドさせつつ倒伏させ、図１ないし図４のように折り畳めばよい。
【００１８】
この考案の鍋類の蓋用折り畳み式スタンド１１において、前記水滴受け用の凹部１３は円形のテーブル板１２の外周に沿って円弧状に形成され、また前記テーブル板１２に設けた取付孔１９は、前記凹部１３の弦側近傍のテーブル板１２のほぼ中央に位置するように設けてある。
【００１９】
この考案の鍋類の蓋用折り畳み式スタンド１１において、前記支持ポスト１４は、上端の係止部１５に向けて後退する傾斜面２１が形成されている。したがって、鍋類の蓋３１がつまみ３２に向かって膨らみを形成されている場合であっても、つまみ３２を無理なく係止部１５に吊り下げることができる。また、鍋類の蓋３１を支持ポスト１４の上端の係止部１５と、前記傾斜面２１とで所定の角度に保持することが可能である。
【００２０】
この考案の鍋類の蓋用折り畳み式スタンド１１は、木材あるいは耐熱プラスチックなどで形成することができ、目的の大きさの鍋類の蓋３１を置くのに適した形状、大きさとすることができる。
【００２１】
以上のようにこの考案の鍋類の蓋用折り畳み式スタンド１１によれば、鍋類の蓋３１の係止部１５を鍋類の蓋用折り畳み式スタンド１２に設けてあるので、厨房台や食卓上において鍋類の蓋３１の置き場に困ることがなくなる。また、厨房台や食卓等の上がきちんと整理されるので、見栄えが大幅に向上する。
【００２２】
また、この考案の鍋類の蓋用折り畳み式スタンド１１において、支持ポスト１４が折り畳み可能な構成となっており、不要時は折り畳んで収納することができて場所をとらないし、使用時には簡単に引き起こして鍋類の蓋３１を掛けることができので、至極便利なものとなる。
【００２３】
前記テーブル板１２の外周付近に水滴受け用の凹部１３を設けたので、鍋類の蓋３１に付着していた水滴は自動的に該凹部１３の中に入るようになっており、汁等の滴が厨房台や食卓上にこぼれてしまうようなことがない。
【００２４】
前記鍋類の蓋３１を取り付ける必要がなくなった際には、前記支持ポスト１４の下端を取付孔１９から抜いて、ガイド孔１６を軸棒１８に沿ってスライドさせつつ前記支持ポスト１４を倒伏させて折り畳めるようにしたばかりか、前記支持ポスト１４の下端を取付孔１９の位置から後退させて前記支持ポスト１４の上端の突出し幅を小さくできるようにしたので、よりコンパクトな折り畳み状態とすることが可能である。
【産業上の利用可能性】
【００２５】
この考案の鍋類の蓋用折り畳み式スタンドは、通常の鍋類の蓋のみならず、厨房台や嘱託上において使用される種々の厨房器具を係止するために使用することができる。
【符号の説明】
【００２６】
１１  鍋類の蓋用折り畳み式スタンド
１２  テーブル板
１３  凹部
１４  支持ポスト
１５  係止部
１６  ガイド孔
１７  軸受
１８  軸棒
１９  取付孔
２０  差込み片
２１  傾斜面
２２  弾性片
２３  突起
３１  鍋類の蓋
３２  つまみ
【図１】
0003173513.tif 000003
【図２】
0003173513.tif 000004
【図３】
0003173513.tif 000005
【図４】
0003173513.tif 000006
【図５】
0003173513.tif 000007
【図６】
0003173513.tif 000008
【図７】
0003173513.tif 000009
【図８】
0003173513.tif 000010
【図９】
0003173513.tif 000011
【図１０】
0003173513.tif 000012
【図１１】
0003173513.tif 000013
【図１２】
0003173513.tif 000014
【図１３】
0003173513.tif 000015
【図１４】
0003173513.tif 000016